(57)【要約】【課題】  円柱形状の像担持体の表面に、複数の光源から射出される光を集光させる。【解決手段】  露光装置は、第１〜第３光源基板２０１〜２０３と、複数のレンズセットが形成されたマイクロレンズアレイ２４０と、第２放熱部材２６３、第１〜第３位置決部材２８１〜２８３と、を備え、第１〜第３光源基板２０１〜２０３に形成される複数の光源は、複数の光源グループのいずれか１つに属し、かつ、複数のレンズグループのいずれか１つに属し、複数のレンズセットは、複数のレンズグループにそれぞれ対応し、レンズセットに対応するレンズグループに属する複数の光源からそれぞれ射出された光を感光体ドラム２３Ｙに集光させ、第２放熱部材、第１〜第３位置決部材２８１〜２８３は、第１〜第３光源基板２０１〜２０３を、それらの形成面が互いに交わる状態で保持する。【選択図】        図９
2020069660.tif 000002
【特許請求の範囲】
【請求項１】
第１の方向に並んだ複数の光源が複数行並べて形成面に形成された複数の光源基板と、
前記光源から出射される光を前記第１の方向に平行な回転対称軸で回転する円柱形状の像担持体の表面に結像させる光学素子と、
前記第１の方向に並んだ複数の前記光学素子を複数行並べて有するマイクロレンズアレイと、
複数の前記光源基板を保持する保持手段と、を備え、
複数の前記光源基板それぞれには、前記第１の方向に交わりかつ前記形成面と平行な第２の方向において異なる位置に少なくとも２つの前記光源が形成され、
前記保持手段は、複数の前記光源基板の前記形成面が互いに交わるように複数の前記光源基板を保持する、露光装置。
【請求項２】
前記マイクロレンズアレイに形成される複数の前記光学素子それぞれは、光学系を構成するすべての光学面が共通の対称面を有しかつ前記対称面が前記像担持体の前記回転対称軸と平行である、請求項１に記載の露光装置。
【請求項３】
複数の前記光学素子それぞれは、前記第２の方向において異なる位置に形成された少なくとも２つの前記光源から射出される光を前記像担持体に結像させ、
前記保持手段は、複数の前記光源基板の少なくとも１つの前記光源基板を、前記第２の方向で異なる位置に形成される少なくとも２つの前記光源それぞれと前記光学素子との間の距離が異なるように保持する、請求項１または２に記載の露光装置。
【請求項４】
前記保持手段は、複数の前記光源基板の少なくとも１つの前記光源基板において、前記第２の方向の位置が異なる少なくとも２つの前記光源それぞれと前記光学素子との間の距離を調整する調整手段を含む、請求項３に記載の露光装置。
【請求項５】
複数の前記光源基板それぞれは、複数の前記光源が形成された発光領域と、複数の前記光源を駆動する駆動回路が形成された回路領域と、を有し、
前記回路領域が光軸方向において他の前記光源基板と重なっており、
前記保持手段は、少なくとも１つの前記光源基板それぞれを、前記光源基板に形成される前記第２の方向の位置が異なる少なくとも２つの前記光源のうち第１光源と前記回路領域からの距離が前記第１光源よりも長い第２光源とにおいて、前記第１光源と前記光学素子との間の光軸方向距離が前記第２光源と前記光学素子との間の光軸方向距離よりも長くなるように他の前記光源基板に傾斜させて保持する、請求項３または４に記載の露光装置。
【請求項６】
複数の前記光源基板は、基準基板と、前記基準基板以外の１以上のサブ基板とを含み、
１以上の前記サブ基板それぞれで発生した熱を放熱するための放熱部材をさらに備え、
前記放熱部材と前記基準基板とは接触しない位置にそれぞれが配置される、請求項１〜５のいずれかに記載の露光装置。
【請求項７】
複数の前記光源基板それぞれは、複数の前記光源が形成された発光領域と、複数の前記光源を駆動する駆動回路が形成された回路領域と、を有し、
前記保持手段は、複数の前記光源基板それぞれを、前記発光領域の外側の位置で保持し、
前記保持手段が前記基準基板を保持する基準保持領域は、前記保持手段が前記サブ基板を保持するサブ保持領域よりも面積が広い、請求項６に記載の露光装置。
【請求項８】
前記基準基板に形成された複数の前記光源の少なくとも１つを基準にして、１以上の前記サブ基板それぞれに形成された複数の前記光源の発光タイミングを決定する発光制御手段を、さらに備えた請求項６または７に記載の露光装置。
【請求項９】
請求項１〜８のいずれかに記載の露光装置を備えた、画像形成装置。
【発明の詳細な説明】
【技術分野】
【０００１】
この発明は、露光装置および画像形成装置に関し、特に、主走査方向に沿って複数の光源が配列された露光装置、および、その露光装置を備えた画像形成装置に関する。
【背景技術】
【０００２】
近年、ＯＬＥＤ（Ｏｒｇａｎｉｃ  Ｌｉｇｈｔ−Ｅｍｉｔｔｉｎｇ  Ｄｉｏｄｅ）を光源として使用したプリントヘッドが知られている。このラインヘッドは、複数の光源から照射された光を像担持体としての感光体ドラムに照射することにより、感光体ドラムに静電潜像を形成する。また、解像度を向上させるために、副走査方向の異なる位置に複数の光源を配置したラインヘッドが知られている。このプリントヘッドにおいては、感光体ドラムの表面の形状が曲率を有していることから、副走査方向の異なる位置に配置された複数の光源から感光体ドラムまでの距離が異なる。
【０００３】
例えば、特開２００８−２２１７９０号公報には、発光素子グループが配置されている平面領域を発光素子グループの配置平面と定義し、発光素子グループの配置平面とレンズの該発光素子グループ側のレンズ面の頂点との光軸方向における距離をレンズ対向距離と定義したとき、各発光素子グループのレンズ対向距離は、該発光素子グループから射出される光ビームの結像位置が潜像担持体表面の曲率形状に応じた位置となるように、調整されている画像形成装置が記載されている。
【０００４】
しかしながら、特開２００８−２２１７９０号公報に記載の技術は、基板に形成される複数の光源それぞれのレンズ対向距離を調整しなければならず、基板の生成が煩雑になるといった問題がある。また、主走査方向の解像度を高くするために、複数の基板を副走査方向に沿って配置することが考えられる。この場合、複数の基板にそれぞれ形成される複数の光源それぞれのレンズ対向距離を調整しなければならず、位置決めが困難であるといった問題がある。
【先行技術文献】
【特許文献】
【０００５】
【特許文献１】特開２００８−２２１７９０号公報
【発明の概要】
【発明が解決しようとする課題】
【０００６】
上述した問題点を解決するために、この発明の目的の一つは、円柱形状の像担持体の表面に、複数の光源から射出される光を集光させることが可能な露光装置を提供することである。
【０００７】
この発明の他の目的は、円柱形状の像担持体の表面に、複数の光源から射出される光を集光させることが可能な画像形成装置を提供することである。
【課題を解決するための手段】
【０００８】
上述した目的を達成するために、この発明のある局面によれば、露光装置は、第１の方向に並んだ複数の光源が複数行並べて形成面に形成された複数の光源基板と、光源から出射される光を第１の方向に平行な回転対称軸で回転する円柱形状の像担持体の表面に結像させる光学素子と、第１の方向に並んだ複数の光学素子を複数行並べて有するマイクロレンズアレイと、複数の光源基板を保持する保持手段と、を備え、複数の光源基板それぞれには、第１の方向に交わりかつ形成面と平行な第２の方向において異なる位置に少なくとも２つの光源が形成され、保持手段は、複数の光源基板の形成面が互いに交わるように複数の光源基板を保持する。
【０００９】
この局面に従えば、複数の光源基板それぞれの形成面に複数の光源が形成されており、複数の光源基板それぞれに第１の方向に交わりかつ形成面と平行な第２の方向において異なる位置に少なくとも２つの光源が形成され、複数の光源基板の形成面が互いに交わるように複数の光源基板が保持される。このため、円柱形状の像担持体の表面に、複数の光源から射出される光を集光させることが可能な露光装置を提供することができる。
【００１０】
好ましくは、マイクロレンズアレイに形成される複数の光学素子それぞれは、光学系を構成するすべての光学面が共通の対象面を有しかつ対象面が像担持体の回転対象軸と平行である。
【００１１】
好ましくは、複数の光学素子それぞれは、第２の方向において異なる位置に形成された少なくとも２つの光源から射出される光を像担持体に結像させ、保持手段は、複数の光源基板の少なくとも１つの光源基板を、第２の方向で異なる位置に形成される少なくとも２つの光源それぞれと光学素子との間の距離が異なるように保持する。
【００１２】
好ましくは、保持手段は、複数の光源基板の少なくとも１つの光源基板において、第２の方向の位置が異なる少なくとも２つの光源それぞれと光学素子との間の距離を調整する調整手段を含む。
【００１３】
好ましくは、複数の光源基板それぞれは、複数の光源が形成された発光領域と、複数の光源を駆動する駆動回路が形成された回路領域と、を有し、回路領域が光軸方向において他の光源基板と重なっており、保持手段は、少なくとも１つの光源基板それぞれを、光源基板に形成される第２の方向の位置が異なる少なくとも２つの光源のうち第１光源と回路領域からの距離が第１光源よりも長い第２光源とにおいて、第１光源と光学素子との間の光軸方向距離が第２光源と光学素子との間の光軸方向距離よりも長くなるように他の光源基板に傾斜させて保持する。
【００１４】
この局面に従えば、複数の光源基板が光軸方向で重なり、かつ、回路領域に近い光源と光学素子との間の距離が回路領域から遠い光源と光学素子との間の距離よりも長くなる位置で光源基板が保持される。このため、装置の高さ方向のサイズを小さくすることができる。
【００１５】
好ましくは、複数の光源基板は、基準基板と、基準基板以外の１以上のサブ基板とを含み、１以上のサブ基板それぞれで発生した熱を放熱するための放熱部材をさらに備え、放熱部材と基準基板とは接触しない位置にそれぞれが配置される。
【００１６】
この局面に従えば、１以上のサブ基板それぞれで発生した熱を放熱するための放熱部材と基準基板とが接触しないので、基準基板が、１以上のサブ基板それぞれで発生した熱が伝導しないようにできる。
【００１７】
好ましくは、複数の光源基板それぞれは、複数の光源が形成された発光領域と、複数の光源を駆動する駆動回路が形成された回路領域と、を有し、保持手段は、複数の光源基板それぞれを、発光領域の外側の位置で保持し、保持手段が基準基板を保持する基準保持領域は、保持手段がサブ基板を保持するサブ保持領域よりも面積が広い。
【００１８】
この局面に従えば、複数の光源基板それぞれは、発光領域の外側の位置で保持され、基準保持領域はサブ保持領域よりも面積が広いので、基準基板で発生した熱を効率的に放熱することができる。
【００１９】
好ましくは、基準基板に形成された複数の光源を基準にして、１以上のサブ基板それぞれに形成された複数の光源の発光タイミングを決定する発光制御手段を、さらに備える。
【００２０】
この局面に従えば、複数の光源の照射位置を副走査方向で揃えることができる。
【００２１】
この発明の他の局面によれば、画像形成装置は、上記の露光装置を備える。
【００２２】
この局面に従えば、画質を向上させた画像形成装置を提供することができる。
【図面の簡単な説明】
【００２３】
【図１】本発明の実施の形態の１つにおけるＭＦＰの外観を示す斜視図である。
【図２】本実施の形態におけるＭＦＰのハードウェア構成の概要を示すブロック図である。
【図３】ＭＦＰの内部構成を示す模式的断面図である。
【図４】露光装置の内部構成の一例を示す斜視図である。
【図５】第１光源基板の斜視図である。
【図６】３つの第１光源基板、第２光源基板および第３光源基板を組み合わせた状態の平面図である。
【図７】マイクロレンズアレイの平面図である。
【図８】マイクロレンズアレイの内部構成を示す側面図である。
【図９】露光装置の内部構成を示す端面図である。
【図１０】複数の光源の位置と感光体ドラムへの照射位置との関係を模式的に示す第１の図である。
【図１１】複数の光源の位置と感光体ドラムへの照射位置との関係を模式的に示す第２の図である。
【図１２】変形例における露光装置の内部構成を示す端面図である。
【図１３】変形例における複数の光源の位置と感光体ドラムへの照射位置との関係を模式的に示す第１の図である。
【図１４】変形例における複数の光源の位置と感光体ドラムへの照射位置との関係を模式的に示す第２の図である。
【発明を実施するための形態】
【００２４】
以下、本発明の実施の形態について図面を参照して説明する。以下の説明では同一の部品には同一の符号を付してある。それらの名称および機能も同じである。したがって、それらについての詳細な説明は繰返さない。
【００２５】
図１は、本発明の実施の形態の１つにおけるＭＦＰの外観を示す斜視図である。図２は、本実施の形態におけるＭＦＰのハードウェア構成の概要を示すブロック図である。図１および図２を参照して、ＭＦＰ（Ｍｕｌｔｉ  Ｆｕｎｃｔｉｏｎ  Ｐｅｒｉｐｈｅｒａｌ）１００は、画像形成装置の一例であり、メイン回路１１０と、原稿を読み取るための原稿読取部１３０と、原稿を原稿読取部１３０に搬送するための自動原稿搬送装置１２０と、画像データに基づいて用紙に画像を形成するための画像形成部１４０と、画像形成部１４０に用紙を供給するための給紙部１５０と、ユーザーインターフェースとしての操作パネル１６０とを含む。
【００２６】
自動原稿搬送装置１２０は、原稿トレイ１２５上にセットされた複数枚の原稿を１枚ずつ自動的に原稿読取部１３０の原稿読み取り位置まで搬送し、原稿読取部１３０により原稿に形成された画像が読み取られた原稿を原稿排紙トレイ１２７上に排出する。
【００２７】
原稿読取部１３０は、原稿を読み取るための矩形状の読取面を有する。読取面は、例えばプラテンガラスにより形成される。自動原稿搬送装置１２０は、読取面の１つの辺に平行な軸を中心に回転可能にＭＦＰ１００の本体に接続され、開閉可能である。自動原稿搬送装置１２０の下方に、原稿読取部１３０が配置されており、自動原稿搬送装置１２０が回転して開いた開状態で、原稿読取部１３０の読取面が露出する。このため、ユーザーは、原稿読取部１３０の読取面に原稿を載置可能である。自動原稿搬送装置１２０は、原稿読取部１３０の読取面が露出する開状態と、読取面を覆う閉状態とに状態を変化可能である。
【００２８】
画像形成部１４０は、給紙部１５０により搬送される用紙に、周知の電子写真方式により画像を形成する。本実施の形態では、画像形成部１４０は、画像データと、用紙の媒体種別に対応する画像形成条件で、給紙部１５０により搬送される用紙に画像を形成する。画像が形成された用紙は排紙トレイ１５９に排出される。
【００２９】
メイン回路１１０は、ＭＦＰ１００の全体を制御するＣＰＵ（中央演算処理装置）１１１と、通信インターフェース（Ｉ／Ｆ）部１１２と、ＲＯＭ（Ｒｅａｄ  Ｏｎｌｙ  Ｍｅｍｏｒｙ）１１３と、ＲＡＭ（Ｒａｎｄｏｍ  Ａｃｃｅｓｓ  Ｍｅｍｏｒｙ）１１４と、大容量記憶装置としてのハードディスクドライブ（ＨＤＤ）１１５と、ファクシミリ部１１６と、外部記憶装置１１８と、を含む。ＣＰＵ１１１は、自動原稿搬送装置１２０、原稿読取部１３０、画像形成部１４０、給紙部１５０および操作パネル１６０と接続され、ＭＦＰ１００の全体を制御する。
【００３０】
ＲＯＭ１１３は、ＣＰＵ１１１が実行するプログラム、またはそのプログラムを実行するために必要なデータを記憶する。ＲＡＭ１１４は、ＣＰＵ１１１がプログラムを実行する際の作業領域として用いられる。また、ＲＡＭ１１４は、原稿読取部１３０から連続的に送られてくる画像データを一時的に記憶する。
【００３１】
操作パネル１６０は、ＭＦＰ１００の上部に設けられる。操作パネル１６０は、表示部１６１と操作部１６３とを含む。表示部１６１は、例えば、液晶表示装置（ＬＣＤ）であり、ユーザーに対する指示メニューや取得した画像データに関する情報等を表示する。なお、ＬＣＤに代えて、画像を表示する装置であれば、例えば、有機ＥＬ（ｅｌｅｃｔｒｏｌｕｍｉｎｅｓｃｅｎｃｅ）ディスプレイを用いることができる。
【００３２】
操作部１６３は、タッチパネル１６５と、ハードキー部１６７とを含む。タッチパネル１６５は、静電容量方式である。なお、タッチパネル１６５は、静電容量方式に限らず、例えば、抵抗膜方式、表面弾性波方式、赤外線方式、電磁誘導方式等の他の方式を用いることができる。
【００３３】
タッチパネル１６５は、その検出面が表示部１６１の上面または下面に表示部１６１に重畳して設けられる。ここでは、タッチパネル１６５の検出面のサイズと、表示部１６１の表示面のサイズとを同じである。このため、表示面の座標系と検出面の座標系は同じである。タッチパネル１６５は、ユーザーが、表示部１６１の表示面を指示する位置を検出面で検出し、検出した位置の座標をＣＰＵ１１１に出力する。表示面の座標系と検出面の座標系は同じなので、タッチパネル１６５が出力する座標を、表示面の座標に置き換えることができる。
【００３４】
ハードキー部１６７は、複数のハードキーを含む。ハードキーは、例えば接点スイッチである。タッチパネル１６５は、表示部１６１の表示面中でユーザーにより指示された位置を検出する。ユーザーがＭＦＰ１００を操作する場合は直立した姿勢となる場合が多いので、表示部１６１の表示面、タッチパネル１６５の操作面およびハードキー部１６７は、上方を向いて配置される。ユーザーが表示部１６１の表示面を容易に視認することができ、ユーザーは指で操作部１６３を容易に指示できる。
【００３５】
通信Ｉ／Ｆ部１１２は、ネットワークにＭＦＰ１００を接続するためのインターフェースである。通信Ｉ／Ｆ部１１２は、ＴＣＰ（Ｔｒａｎｓｍｉｓｓｉｏｎ  Ｃｏｎｔｒｏｌ  Ｐｒｏｔｏｃｏｌ）またはＦＴＰ（Ｆｉｌｅ  Ｔｒａｎｓｆｅｒ  Ｐｒｏｔｏｃｏｌ）等の通信プロトコルで、ネットワークに接続された他のコンピューターまたはデータ処理装置と通信する。通信Ｉ／Ｆ部１１２が接続されるネットワークは、ローカルエリアネットワーク（ＬＡＮ）であり、接続形態は有線または無線を問わない。また、ネットワークは、ＬＡＮに限らず、ワイドエリアネットワーク（ＷＡＮ）、公衆交換電話網（ＰＳＴＮ）、インターネット等であってもよい。
【００３６】
ファクシミリ部１１６は、公衆交換電話網（ＰＳＴＮ）に接続され、ＰＳＴＮにファクシミリデータを送信する、またはＰＳＴＮからファクシミリデータを受信する。ファクシミリ部１１６は、受信したファクシミリデータを、ＨＤＤ１１５に記憶するとともに、画像形成部１４０でプリント可能なプリントデータに変換して、画像形成部１４０に出力する。これにより、画像形成部１４０は、ファクシミリ部１１６により受信されたファクシミリデータの画像を用紙に形成する。また、ファクシミリ部１１６は、ＨＤＤ１１５に記憶されたデータをファクシミリデータに変換して、ＰＳＴＮに接続されたファクシミリ装置に送信する。
【００３７】
外部記憶装置１１８は、ＣＰＵ１１１により制御され、ＣＤ−ＲＯＭ（Ｃｏｍｐａｃｔ  Ｄｉｓｋ  Ｒｅａｄ  Ｏｎｌｙ  Ｍｅｍｏｒｙ）１１８Ａ、または半導体メモリが装着される。本実施の形態においては、ＣＰＵ１１１は、ＲＯＭ１１３に記憶されたプログラムを実行する例を説明するが、ＣＰＵ１１１は、外部記憶装置１１８を制御して、ＣＤ−ＲＯＭ１１８ＡからＣＰＵ１１１が実行するためのプログラムを読出し、読み出したプログラムをＲＡＭ１１４に記憶し、実行するようにしてもよい。
【００３８】
ＣＰＵ１１１は、画像形成部１４０を制御し、用紙などの記録媒体に画像データの画像を形成させる。ＣＰＵ１１１が画像形成部１４０に出力する画像データは、原稿読取部１３０から入力される画像データの他、外部から受信されるプリントデータ等の画像データを含む。
【００３９】
なお、ＣＰＵ１１１が実行するためのプログラムを記憶する記録媒体としては、ＣＤ−ＲＯＭ１１８Ａに限られず、フレキシブルディスク、カセットテープ、光ディスク（ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）などの半導体メモリ等の媒体でもよい。さらに、ＣＰＵ１１１がネットワークに接続されたコンピューターからプログラムをダウンロードしてＨＤＤ１１５に記憶する、または、ネットワークに接続されたコンピューターがプログラムをＨＤＤ１１５に書込みするようにして、ＨＤＤ１１５に記憶されたプログラムをＲＡＭ１１４にロードしてＣＰＵ１１１で実行するようにしてもよい。ここでいうプログラムは、ＣＰＵ１１１により直接実行可能なプログラムだけでなく、ソースプログラム、圧縮処理されたプログラム、暗号化されたプログラム等を含む。
【００４０】
図３は、ＭＦＰの内部構成を示す模式的断面図である。図３を参照して、自動原稿搬送装置１２０は、原稿トレイ１２５に載置された１以上の原稿をさばいて、１枚ずつ原稿読取部１３０に搬送する。原稿読取部１３０は、自動原稿搬送装置１２０により原稿ガラス１１上にセットされた原稿の画像を、その下方を移動するスライダー１２に取付けられた露光ランプ１３で露光する。原稿からの反射光は、ミラー１４と２枚の反射ミラー１５，１５Ａによりレンズ１６に導かれ、ＣＣＤ（Ｃｈａｒｇｅ  Ｃｏｕｐｌｅｄ  Ｄｅｖｉｃｅｓ）センサー１８に結像する。露光ランプ１３とミラー１４とは、スライダー１２に取付けられており、スライダー１２は、スキャナモーター１７により、図３中に示す矢印方向（副走査方向）へ複写倍率に応じた速度Ｖで移動する。これにより、原稿ガラス１１上にセットされた原稿を全面にわたって走査することができる。また、露光ランプ１３とミラー１４の移動に伴い、２枚の反射ミラー１５，１５Ａは、速度Ｖ／２で図２中矢印方向へ移動する。これにより、露光ランプ１３で原稿に照射された光が、原稿で反射してからＣＣＤセンサー１８に結像するまでの光路長が常に一定となる。
【００４１】
ＣＣＤセンサー１８に結像した反射光は、ＣＣＤセンサー１８内で電気信号としての画像データに変換され、メイン回路１１０に送られる。メイン回路１１０は、受取ったアナログの画像データにＡ／Ｄ変換処理、デジタル画像処理等を行なった後、画像形成部１４０に出力する。メイン回路１１０は、画像データを、シアン（Ｃ）、マゼンタ（Ｍ）、イエロー（Ｙ）、ブラック（Ｋ）の印字用データに変換し、画像形成部１４０へ出力する。
【００４２】
画像形成部１４０は、イエロー、マゼンタ、シアンおよびブラックそれぞれの画像形成ユニット２０Ｙ，２０Ｍ，２０Ｃ，２０Ｋを備える。ここで、“Ｙ”、“Ｍ”、“Ｃ”および“Ｋ”は、それぞれイエロー、マゼンタ、シアンおよびブラックを表す。画像形成ユニット２０Ｙ，２０Ｍ，２０Ｃ，２０Ｋの少なくとも１つが駆動されることにより、画像が形成される。画像形成ユニット２０Ｙ，２０Ｍ，２０Ｃ，２０Ｋのすべてが駆動されると、フルカラーの画像を形成する。画像形成ユニット２０Ｙ，２０Ｍ，２０Ｃ，２０Ｋには、イエロー、マゼンタ、シアンおよびブラックの印字用データがそれぞれ入力される。画像形成ユニット２０Ｙ，２０Ｍ，２０Ｃ，２０Ｋは、取扱うトナーの色彩が異なるのみなので、ここでは、イエローの画像を形成するための画像形成ユニット２０Ｙについて説明する。
【００４３】
画像形成ユニット２０Ｙは、イエローの印字用データが入力される露光装置２１Ｙと、露光装置２１Ｙの像担持体である感光体ドラム２３Ｙと、帯電チャージャ２２Ｙと、現像器２４Ｙと、転写チャージャ２５Ｙと、トナーボトル４１Ｙと、を備える。トナーボトル４１Ｙは、イエローのトナーを収納する。
【００４４】
露光装置２１Ｙは、メイン回路１１０から受取った印字用データ（電気信号）に応じて発光し、被写体である感光体ドラム２３Ｙを露光する。感光体ドラム２３Ｙは、円柱形状であり、回転対象軸を中心に回転する。ここでは、回転対象軸を副走査方向に平行としている。感光体ドラム２３Ｙは、帯電チャージャ２２Ｙによって帯電された後、露光装置２１Ｙが発光するレーザー光が照射される。これにより、感光体ドラム２３Ｙに静電潜像が形成される。続いて、現像器２４Ｙが、トナーボトル４１Ｙから供給されたトナーを静電潜像上に載せることによりトナー像が形成される。感光体ドラム２３Ｙ上に形成されたトナー像は、中間転写ベルト３０上に、転写チャージャ２５Ｙにより転写される。
【００４５】
一方、中間転写ベルト３０は、駆動ローラー３３Ｃとローラー３３Ａとにより弛まないように懸架されている。駆動ローラー３３Ｃが図３中で反時計回りに回転すると、中間転写ベルト３０が所定の速度で図中反時計回りに回転する。中間転写ベルト３０の回転に伴って、ローラー３３Ａが、反時計回りに回転する。
【００４６】
これにより、画像形成ユニット２０Ｙ、２０Ｍ，２０Ｃ，２０Ｋが、順に中間転写ベルト３０上にトナー像を転写する。画像形成ユニット２０Ｙ、２０Ｍ，２０Ｃ，２０Ｋそれぞれが、中間転写ベルト３０上にトナー像を転写するタイミングは、中間転写ベルト３０に付された基準マークを検出することにより、調整される。これにより、イエロー、マゼンタ、シアンおよびブラックのトナー像が中間転写ベルト３０上に重畳される。
【００４７】
中間転写ベルト３０に形成されたトナー像は、転写ローラー２６によって用紙に転写される。トナー像が転写された用紙は、定着ローラー対３２に搬送され、定着ローラー対３２により加熱される。これにより、トナーが溶かされて用紙に定着する。その後、用紙は排紙トレイ１５９に排出される。
【００４８】
中間転写ベルト３０の画像形成ユニット２０Ｙの上流に、除去装置２８が設けられている。除去装置２８は、中間転写ベルト３０に残存するトナーを除去する。
【００４９】
給紙カセット３５，３５Ａ，３５Ｂには、それぞれサイズの異なる用紙がセットされている。給紙カセット３５，３５Ａ，３５Ｂそれぞれに収納された用紙は、給紙カセット３５，３５Ａ，３５Ｂにそれぞれ取付けられている取出ローラー３６，３６Ａ，３６Ｂにより、搬送経路へ供給され、給紙ローラー３７によりタイミングローラー３１へ送られる。
【００５０】
ＭＦＰ１００は、フルカラーの画像を形成する場合、画像形成ユニット２０Ｙ，２０Ｍ，２０Ｃ，２０Ｋのすべてを駆動するが、モノクロの画像を形成する場合、画像形成ユニット２０Ｙ，２０Ｍ，２０Ｃ，２０Ｋのいずれか１つを駆動する。また、画像形成ユニット２０Ｙ，２０Ｍ，２０Ｃ，２０Ｋの２以上を組み合わせて画像を形成することもできる。なお、ここでは、ＭＦＰ１００を、用紙に４色のトナーそれぞれを形成する画像形成ユニット２０Ｙ、２０Ｍ，２０Ｃ，２０Ｋを備えたタンデム方式として説明するが、ＭＦＰ１００は、１つの感光体ドラムで４色のトナーを順に用紙に転写する４サイクル方式であってもよい。
【００５１】
次に、露光装置２１Ｙ，２１Ｍ，２１Ｃ，２１Ｋについて説明する。露光装置２１Ｙ，２１Ｍ，２１Ｃ，２１Ｋそれぞれの構成はすべて同じなので、ここでは、露光装置２１Ｙを例に説明する。
【００５２】
図４は、露光装置の内部構成の一例を示す斜視図である。図４を参照して、露光装置２１Ｙは、３つの第１光源基板２０１、第２光源基板２０２および第３光源基板２０３を含む露光ユニットと、マイクロレンズアレイ２４０と、を含む。マイクロレンズアレイ２４０は、複数の光学素子２４５を含む。第１光源基板２０１、第２光源基板２０２および第３光源基板２０３それぞれは、複数の光源２００が形成されている。第１光源基板２０１、第２光源基板２０２および第３光源基板２０３それぞれの構成は同じなので、ここでは、第１光源基板２０１を例に、その構成を説明する。
【００５３】
図５は、第１光源基板の斜視図である。図５を参照して、第１光源基板２０１は、複数の光源２００が形成される複数の発光領域２５１と、回路が形成される複数の回路領域２５３と、を含む。複数の発光領域２５１は、複数の回路領域２５３にそれぞれ対応する。１つの発光領域２５１に対応する回路領域２５３は、その発光領域２５１に形成された複数の光源２００それぞれを駆動するための駆動回路が形成される。
【００５４】
図４に戻って、第１光源基板２０１、第２光源基板２０２および第３光源基板２０３は、副走査方向にずれて重なるように配置される。第１光源基板２０１の下側に、第２光源基板２０２が配置され、第２光源基板２０２の下側に第３光源基板２０３が配置される。第１光源基板２０１の一部と第２光源基板２０２の一部とが重畳し、第２光源基板２０２の一部と第３光源基板２０３の一部とが重畳する。第２光源基板２０２の回路領域２５３は第１光源基板２０１の一部と重なるが、発光領域２５１は第１光源基板２０１と重ならない。第３光源基板２０３の回路領域２５３は第２光源基板２０２の一部と重なるが、発光領域２５１は第２光源基板２０２と重ならない。したがって、第１光源基板２０１、第２光源基板２０２および第３光源基板２０３にそれぞれ形成された複数の光源２００から射出される光は、第１光源基板２０１、第２光源基板２０２および第３光源基板２０３それぞれに対向してマイクロレンズアレイ２４０に設けられた光学素子２４５に向かって照射される。
【００５５】
第１光源基板２０１は、その発光領域２５１を含む部分が第２光源基板２０２の少なくとも一部と重なるようにしてもよい。第２光源基板２０２は、その発光領域２５１を含む部分が第３光源基板２０３の一部分と重なるようにしてもよい。
【００５６】
図６は、３つの第１光源基板、第２光源基板および第３光源基板を組み合わせた状態の平面図である。図６を参照して、第１光源基板２０１に形成される複数の光源２００は、３つの光源グループ２１１，２１２，２１３のいずれかに属する。光源グループ２１１に属する複数の光源２００は、主走査方向に沿って配列され、主走査方向と直行する副走査方向の位置が同じである。光源グループ２１２に属する複数の光源２００は、主走査方向に沿って配列され、副走査方向の位置が同じである。光源グループ２１３に属する複数の光源２００は、主走査方向に沿って配列され、副走査方向の位置が同じである。第１光源基板２０１における光源グループ２１１，２１２，２１３は、副走査方向に沿って配列される。換言すれば、光源グループ２１１に属する複数の光源２００と、光源グループ２１２に属する複数の光源２００と、光源グループ２１３に属する複数の光源２００とは副走査方向の位置が異なる。光源グループ２１１が副走査方向で回路領域２５３に最も近い位置に配置され、光源グループ２１３が副走査方向で回路領域２５３から最も遠い位置に配置される。
【００５７】
第２光源基板２０２に形成される複数の光源２００は、３つの光源グループ２２１，２２２，２２３のいずれかに属する。光源グループ２２１に属する複数の光源２００は、主走査方向に沿って配列され、副走査方向の位置が同じである。光源グループ２２２に属する複数の光源２００は、主走査方向に沿って配列され、副走査方向の位置が同じである。光源グループ２２３に属する複数の光源２００は、主走査方向に沿って配列され、副走査方向の位置が同じである。第２光源基板２０２における光源グループ２２１，２２２，２２３は、副走査方向に沿って配列される。換言すれば、光源グループ２２１に属する複数の光源２００と、光源グループ２２２に属する複数の光源２００と、光源グループ２２３に属する複数の光源２００とは副走査方向の位置が異なる。光源グループ２２１が副走査方向で回路領域２５３に最も近い位置に配置され、光源グループ２２３が副走査方向で回路領域２５３から最も遠い位置に配置される。
【００５８】
第３光源基板２０３に形成される複数の光源２００は、３つの光源グループ２３１，２３２，２３３のいずれかに属する。光源グループ２３１に属する複数の光源２００は、主走査方向に沿って配列され、副走査方向の位置が同じである。光源グループ２３２に属する複数の光源２００は、主走査方向に沿って配列され、副走査方向の位置が同じである。光源グループ２３３に属する複数の光源２００は、主走査方向に沿って配列され、副走査方向の位置が同じである。第３光源基板２０３における光源グループ２３１，２３２，２３３は、副走査方向に沿って配列される。換言すれば、光源グループ２３１に属する複数の光源２００と、光源グループ２３２に属する複数の光源２００と、光源グループ２３３に属する複数の光源２００とは副走査方向の位置が異なる。光源グループ２３１が副走査方向で回路領域２５３に最も近い位置に配置され、光源グループ２３３が副走査方向で回路領域２５３から最も遠い位置に配置される。
【００５９】
本実施の形態においては、第１光源基板２０１に含まれる光源グループ２１１が副走査方向の最も下流に配置され、第３光源基板２０３に含まれる光源グループ２３３が副走査方向の最も上流に配置されるように、第１光源基板２０１、第２光源基板２０２および第３光源基板２０３が位置決めされている。ここで、第１光源基板２０１に含まれる光源グループ２１１，２１２，２１３、第２光源基板２０２に含まれる光源グループ２２１，２２２，２２３および第３光源基板２０３に含まれる光源グループ２３１，２３２，２３３それぞれの位置は、副走査方向の上流側からの順番を用いて第Ｎ列（Ｎは正の整数）で示される。具体的には、第３光源基板２０３に含まれる光源グループ２３３が、副走査方向に最も上流側なので第１列であり、第１光源基板２０１に含まれる光源グループ２１１が最も下流側なので第９列である。なお、感光体ドラム２３Ｙを逆回転させて、第１光源基板２０１に含まれる光源グループ２１１を副走査方向の最も上流に配置し、第３光源基板２０３に含まれる光源グループ２３３が副走査方向の最も下流に配置するように、第１光源基板２０１、第２光源基板２０２および第３光源基板２０３を位置決めするようにしてもよい。  
【００６０】
また、本実施の形態においては、第１光源基板２０１が３つの光源グループ２１１，２１２，２１３を含み、第２光源基板２０２が３つの光源グループ２２１，２２２，２２３を含み、第３光源基板２０３が光源グループ２３１，２３２，２３３を含むようにしたが、１つの光源基板に含まれる光源グループの数はこれに限られず、光学素子２４５のサイズに応じて定めるようにすればよく、１以上であればよい。
【００６１】
第１光源基板２０１に形成される複数の光源２００は、複数のレンズグループ２４１Ａのいずれかに分類される。レンズグループ２４１Ａは、後述する光学素子２４５の１つを通る光を射出する複数の光源２００の集合である。したがって、複数のレンズグループ２５１Ａは、複数の光学素子２４５にそれぞれ対応する。光源グループ２１１に属する複数の光源２００のうち１つのレンズグループ２４１Ａに分類される所定数の光源は、主走査方向に連続して等間隔で配列される。光源グループ２１２に属する複数の光源２００のうち１つのレンズグループ２４１Ａに分類される所定数の光源は、主走査方向に連続して等間隔で配列される。光源グループ２１３に属する複数の光源２００のうち１つのレンズグループ２４１Ａに分類される所定数の光源は、主走査方向に連続して等間隔で配列される。
【００６２】
所定数は、第１光源基板２０１に含まれる光源グループ２１１，２１２，２１３の数と同じである。本実施の形態においては、所定数は３である。第１光源基板２０１において、光源グループ２１１に属する複数の光源２００のうち３つの光源２００と、光源グループ２１２に属する複数の光源２００のうち３つの光源２００と、光源グループ２１３に属する複数の光源２００のうち３つの光源２００と、が第１レンズグループ２４１Ａに属する。また、第１レンズグループ２４１Ａに含まれる９つの光源２００であって、光源グループ２１１，２１２，２１３のうち副走査方向で中心に配列される光源グループ２１２に属し、主走査方向で中心の光源２００が、第１レンズグループ２４１Ａの中心となる。光源グループ２１１，２１２，２１３それぞれは、所定数である３より多くの光源２００を含むので、第１光源基板２０１において、複数の第１レンズグループ２４１Ａが主走査方向に沿って配列される。
【００６３】
なお、第１光源基板２０１に含まれる光源グループ２１１，２１２，２１３の数は、本実施の形態においては「３」であるが、これに限定されることなく、光学素子２４５のサイズによって定められればよく、１以上であればよい。
【００６４】
同様に、第２光源基板２０２において、光源グループ２２１に属する複数の光源２００のうち３つの光源２００と、光源グループ２２２に属する複数の光源２００のうち３つの光源２００と、光源グループ２２３に属する複数の光源２００のうち３つの光源２００と、が第２レンズグループ２４２Ａに属する。また、第２レンズグループ２４２Ａに含まれる９つの光源２００であって、光源グループ２２１，２２２，２２３のうち副走査方向で中心に配列される光源グループ２２２に属し、主走査方向で中心の光源２００が、第２レンズグループ２４２Ａの中心となる。第２光源基板２０２において、複数の第２レンズグループ２４２Ａが主走査方向に沿って配列される。
【００６５】
同様に、第３光源基板２０３において、光源グループ２３１に属する複数の光源２００のうち３つの光源２００と、光源グループ２３２に属する複数の光源２００のうち３つの光源２００と、光源グループ２３３に属する複数の光源２００のうち３つの光源２００と、が第３レンズグループ２４３Ａに属する。また、第３レンズグループ２４３Ａに含まれる９つの光源２００であって、光源グループ２３１，２３２，２３３のうち副走査方向で中心に配列される光源グループ２３２に属し、主走査方向で中心の光源２００が、第３レンズグループ２４３Ａの中心となる。第３光源基板２０３において、複数の第３レンズグループ２４３Ａが主走査方向に沿って配列される。
【００６６】
図７は、マイクロレンズアレイの平面図である。図７を参照して、マイクロレンズアレイ２４０は、複数の光学素子２４５を含む。複数の光学素子２４５それぞれは、光学系を構成するすべての光学面が共通の対象面を有する。また、マイクロレンズアレイ２４０は、複数の光学素子２４５それぞれの対象面が感光体ドラム２３Ｙの回転対象軸と平行となるように設置される。本実施の形態においては、複数の光学素子２４５は、光軸が互いに平行な状態で、主走査方向および副走査方向の位置が互いに異なる位置に配置される。複数の光学素子２４５は、第１光源基板２０１、第２光源基板２０２および第３光源基板２０３にそれぞれ含まる複数のレンズグループ２４１Ａ，２４２Ａ，２４３Ａにそれぞれ対応する。
【００６７】
具体的には、複数の光学素子２４５は、第１列グループ２４１と、第２列グループ２４２と、第３列グループ２４３と、のいずれかに属する。第１列グループ２４１は、第１光源基板２０１に含まれる複数の第１レンズグループ２４１Ａにそれぞれ対応する複数の光学素子２４５が分類される。第２列グループ２４２は、第２光源基板２０２に含まれる複数の第２レンズグループ２４２Ａにそれぞれ対応する複数の光学素子２４５が分類される。第３列グループ２４３は、第３光源基板２０３に含まれる複数の第３レンズグループ２４３Ａにそれぞれ対応する複数の光学素子２４５が分類される。
【００６８】
第１列グループ２４１に属する複数の光学素子２４５は、複数の第１レンズグループ２４１Ａにそれぞれ対応する。第１列グループ２４１に属する複数の光学素子２４５は、その光学素子２４５の光軸が、その光学素子２４５に対応する第１レンズグループ２４１Ａの中心の光源２００を通るように配置される。複数の第２レンズグループ２４２Ａにそれぞれ対応する複数の光学素子２４５は、その光学素子２４５の光軸が、その光学素子２４５に対応する第２レンズグループ２４２Ａの中心の光源２００を通るように配置される。複数の第３レンズグループ２４３Ａにそれぞれ対応する複数の光学素子２４５は、その光学素子２４５の光軸が、その光学素子２４５に対応する第３レンズグループ２４３Ａの中心の光源２００を通るように配置される。
【００６９】
したがって、第１列グループ２４１に属する複数の光学素子２４５は、主走査方向に沿って配列される。第２列グループ２４２に属する複数の光学素子２４５は、主走査方向に沿って配列される。第３列グループ２４３に属する複数の光学素子２４５は、主走査方向に沿って配列される。
【００７０】
図８は、マイクロレンズアレイの内部構成を示す側面図である。図８を参照して、マイクロレンズアレイ２４０は、第１レンズ板２４８と、第２レンズ板２４９と、第１レンズ板２４８と第２レンズ板２４９との間に配置された絞り板２４７と、を含む。第１レンズ板２４８は、複数の光学素子２４５それぞれの第１レンズ２４５Ａが形成されている。第２レンズ板２４９は、複数の光学素子２４５それぞれの第２レンズ２４５Ｂが形成されている。絞り板２４７は、複数の光学素子２４５それぞれに対応する絞り２４７Ａが形成されている。光学素子２４５は、第１レンズ２４５Ａと、第２レンズ２４５Ｂと、絞り２４７Ａで構成される。
【００７１】
１つの光学素子２４５において、第１レンズ２４５Ａの光軸と第２レンズ２４５Ｂの光軸は重なる。第１レンズ２４５Ａと第２レンズ２４５Ｂとの間に絞り２４７Ａが配置される。光学素子２４５は、テレセントリック光学系である。また、本実施例において、光学素子２４５は、倒立光学系である。このため、複数の光学素子２４５それぞれは、光学系を構成するすべての光学面が共通の対象面を有する。
【００７２】
図９は、露光装置の内部構成を示す端面図である。図９は、露光装置２１Ｙを副走査方向に垂直な方向から見た図である。図９を参照して、第１光源基板２０１に含まれる光源グループ２１１，２１２，２１３と、第２光源基板２０２に含まれる光源グループ２２１，２２２，２２３と、第３光源基板２０３に含まれる光源グループ２３１，２３２，２３３と、が副走査方向で異なる位置に配置される。このため、同一のタイミングで、複数の光源２００から射出される光が感光体ドラム２３Ｙに照射される照射位置は、同一の光源グループに属する複数の光源２００については、対応する照射位置が副走査方向で同じになるが、異なる光源グループに属する複数の光源２００については、対応する照射位置が副走査方向で異なる。
【００７３】
露光装置２１Ｙの筐体２９１に、マイクロレンズアレイ２４０と、第１放熱部材２６１と、第２放熱部材２６３と、第１〜第３位置決部材２８１，２８２，２８３と、が固定的に配置される。
【００７４】
筐体２９１は、外形が直方体であり、中空である。筐体２９１は、上面に開口２９１Ｂが形成されている。マイクロレンズアレイ２４０は、筐体２９１の開口２９１Ｂに挿入された状態で、筐体２９１に固定される。筐体２９１は、その内部に、底面と平行な保持板２９１Ａを有する。保持板２９１Ａは、筐体２９１の側壁に固定されている。保持板２９１Ａは、複数の光源２００から射出される光が通る穴が形成されている。第２放熱部材２６３と、第１〜第３位置決部材２８１，２８２，２８３それぞれは、その上面が保持板２９１Ａの下面に固定される。また、第１放熱部材２６１は、その底面が筐体２９１の底板の上面に固定される。第１放熱部材２６１および第２放熱部材２６３それぞれは、熱伝導率の高い材質であればよく、材質は限定されない。
【００７５】
第１光源基板２０１は、その上面の複数の発光領域２５１以外の基準保持領域で、第２放熱部材２６３の底面に固定される。例えば、第１光源基板２０１の回路領域２５３を含む領域と第２放熱部材２６３の底面とが、接着材で接着される。第１光源基板２０１に形成される複数の光源２００が発熱した熱が、第２放熱部材２６３を伝導する。第２放熱部材２６３は、第１光源基板２０１を保持する保持部材である。
【００７６】
第１位置決部材２８１は、縦方向の長さが異なる第１部分と第２部分とを含む。第１部分は、第２部分よりも縦方向の長さが短い。第１位置決部材２８１は、第２部分から下方に突出する第１調整ピン２８１Ａを有する。第２部分に第１調整ピン２８１Ａが挿入される穴が形成されている。穴の内表面にネジ山が形成されており、穴はメネジとして機能する。第１調整ピン２８１Ａの表面にネジ山が形成されており、オネジとして機能する。第１調整ピン２８１Ａは、第２部分のメネジと係合し、第２部分に対して回転することにより、第２部分から突出する突出量が変化する。
【００７７】
第２位置決部材２８２は、縦方向の長さが異なる第３部分と第４部分とを含む。第３部分は、第４部分よりも縦方向の長さが短い。第２位置決部材２８２は、第３部分から下方に突出する第２調整ピン２８２Ａと、第４部分から下方に突出する第３調整ピン２８２Ｂと、を有する。第３部分に第２調整ピン２８２Ａが挿入される穴が形成されている。穴の内表面にネジ山が形成されており、穴はメネジとして機能する。第２調整ピン２８２Ａの表面にネジ山が形成されており、オネジとして機能する。第２調整ピン２８２Ａは、第３部分のメネジと係合し、第３部分に対して回転することにより、第３部分から突出する突出量が変化する。第４部分に第３調整ピン２８２Ｂが挿入される穴が形成されている。穴の内表面にネジ山が形成されており、穴はメネジとして機能する。第３調整ピン２８２Ｂの表面にネジ山が形成されており、オネジとして機能する。第３調整ピン２８２Ｂは、第４部分のメネジと係合し、第４部分に対して回転することにより、第４部分から突出する突出量が変化する。
【００７８】
第３位置決部材２８３は、底面から下方に突出する第４調整ピン２８３Ａを有する。第３位置決部材２８３はその底面に第４調整ピン２８３Ａが挿入される穴が形成されている。穴の内表面にネジ山が形成されており、穴はメネジとして機能する。第４調整ピン２８３Ａの表面にネジ山が形成されており、オネジとして機能する。第４調整ピン２８３Ａは、第３位置決部材２８３のメネジと係合し、第３位置決部材２８３に対して回転することにより、第３位置決部材２８３から突出する突出量が変化する。第４調整ピン２８３Ａの先端は、球面の形状である。
【００７９】
第１位置決部材２８１、第２位置決め決定部材２８２および第３位置決め決定部材２８３それぞれは、主走査方向に複数が配置される。
【００８０】
第１光源基板２０１は、さらに、その上面の発光領域２５１以外の基準保持領域が、第１位置決部材２８１の第１部分の底面に固定される。また、第１光源基板２０１は、それに含まれる光源グループ２１１，２１２，２１３のうち、それに属する複数の光源２００の照射位置が副走査方向で最も下流となる光源グループ２１３に属する複数の光源２００のうち任意の代表光源が射出する光の照射位置と、感光体ドラム２３Ｙの回転中心とを結んだ線と、代表光源が属する第１レンズグループ２４１Ａに対応する光学素子２４５の光軸と、が平行となるように、露光装置２１Ｙと感光体ドラム２３Ｙとの相対位置が定められる。以下、光源グループ２１３を基準グループといい、光源グループ２１３以外の光源グループ２１１，２１２，２２１，２２２，２２３，２３１，２３２，２３３をサブグループという。
【００８１】
第２光源基板２０２は、第１位置決部材２８１の第１調整ピン２８１Ａの先端および第２位置決部材２８２の第２調整ピン２８２Ａの先端に固定される。第１位置決部材２８１および第２位置決部材２８２は、第２光源基板２０２を保持する保持部材として機能する。第２光源基板２０２は、その上面の発光領域２５１以外の領域が、第１調整ピン２８１Ａの先端および第２調整ピン２８２Ａの先端とそれぞれ接触し、接着剤で接着される。第２光源基板２０２の第１調整ピン２８１Ａの先端および第２調整ピン２８２Ａの先端と接する領域は、サブ保持領域である。第１調整ピン２８１Ａの先端は、第２光源基板２０２の発光領域２５１の外側の回路領域２５２側で第２光源基板２０２と接触し、第２調整ピン２８２Ａの先端は、第２光源基板２０２の発光領域２５１の外側の回路領域と反対側で第２光源基板２０２と接触する。このため、第２光源基板２０２の位置を高い精度で定めることができる。
【００８２】
第２光源基板２０２が第１調整ピン２８１Ａおよび第２調整ピン２８２Ａに接着される前の段階で、ユーザーが第１調整ピン２８１Ａおよび第２調整ピン２８２Ａそれぞれを回転させることにより、第２光源基板２０２の位置が調整される。ユーザーは、第１調整ピン２８１Ａおよび第２調整ピン２８２Ａの一方または両方を回転させることにより、第１光源基板２０１の複数の光源２００が形成された形成面と、第２光源基板２０２の複数の光源２００が形成された形成面とのなす角を調整することができる。このため、ユーザーは、第１光源基板２０１の形成面と、第２光源基板２０２の形成面とのなす角が所望の角度になるように、第１光源基板２０１に対する第２光源基板２０２の相対位置を設定することができる。具体的には、ユーザーは、第２光源基板２０２に形成された複数の光源２００それぞれから射出される光が集光する位置が感光体ドラム２３Ｙの表面となるように、第２光源基板２０２の位置を設定する。
【００８３】
第３光源基板２０３は、第２位置決部材２８２の第３調整ピン２８２Ｂの先端および第３位置決部材２８３の第４調整ピン２８３Ａの先端に固定される。第２位置決部材２８２および第３位置決部材２８３は、第３光源基板２０３を保持する保持部材として機能する。第３光源基板２０３は、その上面の発光領域２５１以外の領域が、第３調整ピン２８２Ｂの先端および第４調整ピン２８３Ａの先端とそれぞれ接触し、接着剤で接着される。第３光源基板２０３の第３調整ピン２８２Ｂの先端および第４調整ピン２８３Ａの先端と接する領域は、サブ保持領域である。第３調整ピン２８２Ｂの先端は、第３光源基板２０３の発光領域２５１の外側の回路領域２５２側で第３光源基板２０３と接触し、第４調整ピン２８３Ａの先端は、第３光源基板２０３の発光領域２５１の外側で回路領域２５２と反対側で第３光源基板２０３と接触する。このため、第３光源基板２０３の位置を高い精度で定めることができる。
【００８４】
第３光源基板２０３が第３調整ピン２８２Ｂおよび第４調整ピン２８３Ａに接着される前の段階で、ユーザーが第３調整ピン２８２Ｂおよび第４調整ピン２８３Ａそれぞれを回転させることにより、第３光源基板２０３の位置が調整される。ユーザーは、第３調整ピン２８２Ｂおよび第４調整ピン２８３Ａの一方または両方を回転させることにより、第１光源基板２０１の複数の光源２００が形成された形成面と、第３光源基板２０３の複数の光源２００が形成された形成面とのなす角を調整することができる。このため、ユーザーは、第１光源基板２０１の形成面と、第３光源基板２０３の形成面とのなす角が所望の角度になるように、第１光源基板２０１に対する第３光源基板２０３の相対位置を設定することができる。具体的には、ユーザーは、第３光源基板２０３に形成された複数の光源２００それぞれから射出される光が集光する位置が感光体ドラム２３Ｙの表面となるように、第３光源基板２０３の位置を設定する。
【００８５】
第１光源基板２０１の基準保持領域は、第２光源基板２０２のサブ保持領域および第３光源基板２０３のサブ保持領域のいずれよりも面積が広い。このため、第１光源基板２０１に形成される複数の光源２００で発生した熱が第２放熱部材２６３に伝導するので、第１光源基板２０１で発生した熱を効率的に放熱することができる。
【００８６】
第１調整ピン２８１Ａ、第２調整ピン２８２Ａ、第３調整ピン２８２Ｂおよび第４調整ピン２８３Ａそれぞれの先端の形状は、球状である。このため、第１調整ピン２８１Ａおよび第２調整ピン２８２Ａが、第２光源基板２０２と点接触するので、第２光源基板２０２の位置決め作業が容易である。同様に、第３調整ピン２８２Ｂおよび第４調整ピン２８３Ａが、第３光源基板２０３と点接触するので、第３光源基板２０３の位置決め作業が容易である。
【００８７】
また、第２放熱部材２６３は、第１光源基板２０１を上面で保持し、第１調整ピン２８１Ａ、第２調整ピン２８２Ａは、第２光源基板２０２を上面で保持し、第３調整ピン２８２Ｂおよび第４調整ピン２８３Ａは、第３光源基板２０３を上面で保持する。第１光源基板２０１、第２光源基板２０２および第３光源基板２０３の裏面は、複数の光源２００を覆う封止ガラス層が形成されているため、位置決めのための基準とすることができない。このため、第１光源基板２０１、第２光源基板２０２および第３光源基板２０３を、それぞれの上面で保持するので、正確に位置決めすることができる。
【００８８】
第２光源基板２０２および第３光源基板２０３と、第１放熱部材２６１との間に、中間部材２６５が配置される。中間部材２６５は、熱伝導率の高い素材である。中間部材２６５は、製造時に流動性、または、弾性を有することが好ましい。中間部材２６５は、樹脂またはグリスである。樹脂は、熱硬化性または紫外線硬化性であることが好ましい。このため、第２光源基板２０２および第３光源基板２０３それぞれに形成された複数の光源２００が発する熱が、中間部材２６５を介して第１放熱部材２６１に伝導する。
【００８９】
一方、第１光源基板２０１は、第２放熱部材２６３と接触するので、第１光源基板２０１で発生する熱は、第２放熱部材２６３に伝導し、第２放熱部材２６３によって放熱される。第１光源基板２０１は、第１放熱部材２６１に接触しない。このため、第１光源基板２０１は、第１放熱部材２６１から熱が伝導しない。第１光源基板２０１と第１放熱部材２６１との間に、断熱材が配置されてもよい。第１光源基板２０１が、第１放熱部材２６１から熱伝導しないので、第１光源基板２０１は、第２光源基板２０２および第３光源基板２０３で発せられる熱の影響を受けない。
【００９０】
図１０は、複数の光源の位置と感光体ドラムへの照射位置との関係を模式的に示す第１の図である。ここでは、第１光源基板２０１、第２光源基板２０２および第３光源基板２０３が理想的な位置に位置決めされた状態における、複数の光源と照射位置との関係を示している。図１０を参照して、第１光源基板２０１に形成される複数の光源２００のうち光源グループ２１１に属する複数の光源２００から射出される光は感光体ドラム２３Ｙの照射位置２１１Ａに集光し、光源グループ２１２に属する複数の光源２００から射出される光は感光体ドラム２３Ｙの照射位置２１２Ａに集光し、光源グループ２１３に属する複数の光源２００から射出される光は感光体ドラム２３Ｙの照射位置２１３Ａに集光する。
【００９１】
第２光源基板２０２に形成される複数の光源２００のうち光源グループ２２１に属する複数の光源２００から射出される光は感光体ドラム２３Ｙの照射位置２２１Ａに集光し、光源グループ２２２に属する複数の光源２００から射出される光は感光体ドラム２３Ｙの照射位置２２２Ａに集光し、光源グループ２２３に属する複数の光源２００から射出される光は感光体ドラム２３Ｙの照射位置２２３Ａに集光する。
【００９２】
第３光源基板２０３に形成される複数の光源２００のうち光源グループ２３１に属する複数の光源２００から射出される光は感光体ドラム２３Ｙの照射位置２３１Ａに集光し、光源グループ２３２に属する複数の光源２００から射出される光は感光体ドラム２３Ｙの照射位置２３２Ａに集光し、光源グループ２３３に属する複数の光源２００から射出される光は感光体ドラム２３Ｙの照射位置２３３Ａに集光する。
【００９３】
マイクロレンズアレイ２４０が有する複数の光学素子２４５は、倒立光学系である。光源２００と光学素子２４５との間の距離をａ、光学素子２４５と焦点までの距離をｂとし、光学素子２４５の焦点距離をｆとすれば、次式（１）が成立する。
【００９４】
１／ａ＋１／ｂ＝１／ｆ  …（１）
第２光源基板２０２は、その形成面が第１光源基板２０１の形成面と交わる位置に位置決めされている。第２光源基板２０２は、光源グループ２２１，２２２，２２３を含む。光源グループ２２１は、副走査方向において回路領域２５２に最も近い位置に配置され、光源グループ２２３は、副走査方向において回路領域２５２から最も遠い位置に配置される。このため、光源グループ２２１に属する複数の光源２００のうち任意の１つと、その光源２００が属する第２レンズグループ２４２Ａに対応する光学素子２４５との間の第１距離は、光源グループ２２３に属する複数の光源２００のうち任意の１つと、その光源２００が属する第２レンズグループ２４２Ａに対応する光学素子２４５との間の第２距離より短い。したがって、感光体ドラム２３Ｙの表面が曲面なので、光源グループ２２１に属する複数の光源２００、光源グループ２２２に属する複数の光源２００、および光源グループ２２３に属する複数の光源２００それぞれから射出される光が集光する照射位置２２１Ａ，２２２Ａ，２２３Ａが、感光体ドラム２３Ｙの表面となる。
【００９５】
第３光源基板２０３は、その形成面が第１光源基板２０１の形成面と交わる位置に位置決めされている。第３光源基板２０３は、光源グループ２３１，２３２，２３３を含む。光源グループ２３１は、副走査方向において最も下流に配置され、光源グループ２３３は、副走査方向において最も上流に配置される。このため、光源グループ２３１に属する複数の光源２００のうち任意の１つと、その光源２００が属する第３レンズグループ２４３Ａに対応する光学素子２４５との間の第１距離は、光源グループ２３３に属する複数の光源２００のうち任意の１つと、その光源２００が属する第３レンズグループ２４３Ａに対応する光学素子２４５との間の第２距離より短い。したがって、感光体ドラム２３Ｙの表面が曲面なので、光源グループ２３１に属する複数の光源２００、光源グループ２３２に属する複数の光源２００、および光源グループ２３３に属する複数の光源２００それぞれから射出される光が集光する照射位置２３１Ａ，２３２Ａ，２３３Ａが、感光体ドラム２３Ｙの表面となる。
【００９６】
このように、複数の光源２００それぞれから射出される光が感光体ドラム２３Ｙの表面で集光するので、感光体ドラム２３Ｙに形成される静電潜像の画質を向上させることができる。
【００９７】
なお、第１光源基板２０１の形成面の角度が調整されてもよい。第１光源基板２０１は、光源グループ２１１，２１２，２１３を含む。光源グループ２１１は、副走査方向において回路領域２５２に最も近い位置に配置され、光源グループ２１３は、副走査方向において回路領域２５２から最も遠い位置に配置される。このため、光源グループ２１１に属する複数の光源２００のうち任意の１つと、その光源２００が属する第１レンズグループ２４１Ａに対応する光学素子２４５との間の第１距離を、光源グループ２１３に属する複数の光源２００のうち任意の１つと、その光源２００が属する第１レンズグループ２４１Ａに対応する光学素子２４５との間の第２距離より短くすればよい。具体的には、第１位置決部材２８１の第１部分の下方に伸びる調整ピンが設けられ、その調整ピンによって、第１光源基板２０１の第１距離および第２距離が定められてもよい。
【００９８】
ＣＰＵ１１１は、露光装置２１Ｙを制御し、複数の光源２００から光を照射させる光源制御部として機能する。光源グループ２１１，２１２，２１３，２２１，２２２，２２３，２３１，２３２，２３３それぞれに属する複数の光源２００が同じタイミングで光を射出する場合、感光体ドラム２３Ｙにおいて照射位置２１１Ａ，２１２Ａ，２１３Ａ，２２１Ａ，２２２Ａ，２２３Ａ，２３１Ａ，２３２Ａ，２３３Ａは、副走査方向で異なる位置となる。このため、ＣＰＵ１１１は、感光体ドラム２３Ｙにおいて照射位置２１１Ａ，２１２Ａ，２１３Ａ，２２１Ａ，２２２Ａ，２２３Ａ，２３１Ａ，２３２Ａ，２３３Ａを副走査方向で揃えるために、複数の光源２００が光を射出する発光タイミングを、光源グループ２１１，２１２，２１３，２２１，２２２，２２３，２３１，２３２，２３３ごとに異ならせる。
【００９９】
ＣＰＵ１１１は、第１光源基板２０１に形成された複数の光源２００のうち、基準グループである光源グループ２１３に属する光源２００を、露光装置２１Ｙが有する複数の光源２００の発光タイミングを決定するための基準とし、他の光源グループ２１２，２１３，２２１，２２２，２２３，２３１，２３２，２３３にそれぞれ属する複数の光源２００の発光タイミングを決定する。第１光源基板２０１は、基準グループである光源グループ２１３を含む基準基板である。
【０１００】
上述したように、第１光源基板２０１は第１放熱部材２６１に接触しない。このため、第１光源基板２０１は、第２光源基板２０２および第３光源基板２０３で発せられる熱の影響を受けない。一方、第１光源基板２０１が第２放熱部材２６３と接触し、第１光源基板２０１で発生する熱が第２放熱部材２６３によって放熱される。このため、第２光源基板２０２および第３光源基板２０３の温度が変化する場合であっても、第１光源基板２０１が、第２光源基板２０２および第３光源基板２０３で発生した熱の影響を受けないようにできる。ＣＰＵ１１１は、第１光源基板２０１の光源グループ２１３を、他の光源グループ２１１，２１２，２２１，２２２，２２３，２３１，２３２，２３３にそれぞれ属する複数の光源２００の発光タイミングを決定するための基準とするので、複数の光源２００の発光タイミングを正確に調整することができる。
【０１０１】
図１１は、複数の光源の位置と感光体ドラムへの照射位置との関係を模式的に示す第２の図である。ここでは、感光体ドラム２３Ｙに光が照射される位置が副走査方向で同じ位置となるように複数の光源２００を発光さる発光タイミングを調整した場合における理想的な照射位置を示している。第１光源基板２０１、第２光源基板２０２および第３光源基板２０３それぞれにおいて示される数字は、複数の光源２００の位置とその光源に付された番号を示す。感光体ドラム２３Ｙにおいて示される数字は、照射位置と、その照射位置に対応する光源２００に付された番号を示す。
【０１０２】
感光体ドラム２３Ｙは、露光装置２１Ｙに対して副走査方向に相対して所定の速度で移動する。このため、ＣＰＵ１１１は、露光装置２１Ｙを制御して、複数の光源２００の発光タイミングを、光源グループごとにずらす。これにより、照射位置２１１Ａ，２１２Ａ，２１３Ａ，２２１Ａ，２２２Ａ，２２３Ａ，２３１Ａ，２３２Ａ，２３３Ａを副走査方向で揃えることができる。
【０１０３】
第３光源基板２０３において、第３列の光源グループ２３１に属する第７番、第４番および第１番の番号が付された３つの光源２００と、第２列の光源グループ２３２に属する第８番、第５番および第２番の番号が付された３つの光源２００と、第１列の光源グループ２３３に属する第９番、第６番および第３番の番号が付された３つの光源２００と、が第３レンズグループ２４３Ａに属する。ＣＰＵ１１１は、第３列の光源グループ２３１に属する複数の光源２００を同時に発光させ、所定時間経過後に、第２列の光源グループ２３２に属する複数の光源２００を同時に発光させ、さらに所定時間経過後に、第１列の光源グループ２３３に属する複数の光源２００を発光させる。これにより、ＣＰＵ１１１は、感光体ドラム２３Ｙに第１番〜第９番の光源２００にそれぞれ対応する感光体ドラム２３Ｙにおける照射位置２３１Ａ，２３２Ａ，２３３Ａを副走査方向で揃えることができる。
【０１０４】
第２光源基板２０２において、第６列の光源グループ２２１に属する第１６番、第１３番および第１０番の番号が付された３つの光源２００と、第５列の光源グループ２２２に属する第１７番、第１４番および第１１番の番号が付された３つの光源２００と、第４列の光源グループ２２３に属する第１８番、第１５番および第１２番の番号が付された３つの光源２００と、が第２レンズグループ２４２Ａに属する。ＣＰＵ１１１は、第６列の光源グループ２２１に属する複数の光源２００を同時に発光させ、所定時間経過後に、第５列の光源グループ２２２に属する複数の光源２００を同時に発光させ、さらに所定時間経過後に、第４列の光源グループ２２３に属する複数の光源２００を発光させる。これにより、ＣＰＵ１１１は、感光体ドラム２３Ｙに第１０番〜第１８番の光源２００に対応する感光体ドラム２３Ｙにおける照射位置２２１Ａ，２２２Ａ，２２３Ａが副走査方向で揃えることができる。
【０１０５】
第１光源基板２０１において、第９列の光源グループ２１１に属する第２５番、第２２番および第１９番の番号が付された３つの光源２００と、第８列の光源グループ２１２に属する第２６番、第２３番および第２０番の番号が付された３つの光源２００と、第７列の光源グループ２１３に属する第２７番、第２４番および第２１番の番号が付された３つの光源２００と、が第１レンズグループ２４１Ａに属する。ＣＰＵ１１１は、第９列の光源グループ２１１に属する複数の光源２００を同時に発光させ、所定時間経過後に、第８列の光源グループ２１２に属する複数の光源２００を同時に発光させ、さらに所定時間経過後に、第７列の光源グループ２１３に属する複数の光源２００を発光させる。これにより、ＣＰＵ１１１は、感光体ドラム２３Ｙに第１９番〜第２７番の光源２００に対応する感光体ドラム２３Ｙにおける照射位置２１１Ａ，２１２Ａ，２１３Ａを副走査方向で揃えることができる。
【０１０６】
また、ＭＦＰ１００は、露光装置２１Ｙ，２１Ｍ，２１Ｃ，２１Ｋを備えるので、用紙等の記録媒体に形成する画像の画質が向上する。
【０１０７】
＜変形例＞
変形例におけるＭＦＰ１００は、倒立光学系のマイクロレンズアレイ２４０に代えて、正立光学系のマイクロレンズアレイ２４０Ａを有する。
【０１０８】
図１２は、変形例における露光装置の内部構成を示す端面図である。図１２は、変形例における露光装置２１Ｙを副走査方向に垂直な方向から見た図である。図１２を参照して、図９に示した露光装置２１Ｙと異なる点は、マイクロレンズアレイ２４０がマイクロレンズアレイ２４０Ａに変更された点である。マイクロレンズアレイ２４０Ａが有する複数の光学素子２４５は、正立光学系である。
【０１０９】
第１光源基板２０１は、それに含まれる光源グループ２１１，２１２，２１３のうち、それに属する複数の光源２００の照射位置が副走査方向で最も下流となる光源グループ２１１に属する複数の光源２００と感光体ドラム２３Ｙとの間の距離が最も短くなる位置となるように、露光装置２１Ｙと感光体ドラム２３Ｙとの相対位置が定められる。この場合、光源グループ２１１に属する複数の光源２００のうち任意の代表光源が射出する光の照射位置と、感光体ドラム２３Ｙの回転中心とを結んだ線と、代表光源が属する第１レンズグループ２４１Ａに対応する光学素子２４５の光軸と、が平行となる。変形例においては、光源グループ２１１が基準グループであり、光源グループ２１１以外の光源グループ２１２，２１３，２２１，２２２，２２３，２３１，２３２，２３３がサブグループである。
【０１１０】
ユーザーは、第１光源基板２０１の形成面と、第２光源基板２０２の形成面とのなす角が所望の角度になるように、第１光源基板２０１に対する第２光源基板２０２の相対位置を設定することができる。具体的には、ユーザーは、第２光源基板２０２に形成された複数の光源２００それぞれから射出される光が集光する位置が感光体ドラム２３Ｙの表面となるように、第２光源基板２０２の位置を設定する。
【０１１１】
ユーザーは、第１光源基板２０１の形成面と、第３光源基板２０３の形成面とのなす角が所望の角度になるように、第１光源基板２０１に対する第３光源基板２０３の相対位置を設定することができる。具体的には、ユーザーは、第３光源基板２０３に形成された複数の光源２００それぞれから射出される光が集光する位置が感光体ドラム２３Ｙの表面となるように、第３光源基板２０３の位置を設定する。
【０１１２】
図１３は、変形例における複数の光源の位置と感光体ドラムへの照射位置との関係を模式的に示す第１の図である。ここでは、変形例における第１光源基板２０１、第２光源基板２０２および第３光源基板２０３が理想的な位置に位置決めされた状態における、複数の光源と照射位置との関係を示している。マイクロレンズアレイ２４０Ａが有する複数の光学素子２４５は、正立光学系である。
【０１１３】
第２光源基板２０２は、その形成面が第１光源基板２０１の形成面と交わる位置に位置決めされている。第２光源基板２０２は、光源グループ２２１，２２２，２２３を含む。光源グループ２２１は、副走査方向において回路領域２５２に最も近い位置に配置され、光源グループ２２３は、副走査方向において回路領域２５２から最も遠い位置に配置される。このため、光源グループ２２１に属する複数の光源２００のうち任意の１つと、その光源２００が属する第２レンズグループ２４２Ａに対応する光学素子２４５との間の第１距離は、光源グループ２２３に属する複数の光源２００のうち任意の１つと、その光源２００が属する第２レンズグループ２４２Ａに対応する光学素子２４５との間の第２距離より長い。したがって、感光体ドラム２３Ｙの表面が曲面なので、光源グループ２２１に属する複数の光源２００、光源グループ２２２に属する複数の光源２００、および光源グループ２２３に属する複数の光源２００それぞれから射出される光が集光する照射位置２２１Ａ，２２２Ａ，２２３Ａが、感光体ドラム２３Ｙの表面となる。
【０１１４】
第３光源基板２０３は、その形成面が第１光源基板２０１の形成面と交わる位置に位置決めされている。第３光源基板２０３は、光源グループ２３１，２３２，２３３を含む。光源グループ２３１は、副走査方向において回路領域２５２に最も近い位置に配置され、光源グループ２３３は、副走査方向において回路領域２５２から最も遠い位置に配置される。このため、光源グループ２３１に属する複数の光源２００のうち任意の１つと、その光源２００が属する第３レンズグループ２４３Ａに対応する光学素子２４５との間の第１距離は、光源グループ２３３に属する複数の光源２００のうち任意の１つと、その光源２００が属する第３レンズグループ２４３Ａに対応する光学素子２４５との間の第２距離より長い。したがって、感光体ドラム２３Ｙの表面が曲面なので、光源グループ２３１に属する複数の光源２００、光源グループ２３２に属する複数の光源２００、および光源グループ２３３に属する複数の光源２００それぞれから射出される光が集光する照射位置２３１Ａ，２３２Ａ，２３３Ａが、感光体ドラム２３Ｙの表面となる。
【０１１５】
このように、複数の光源２００それぞれから射出される光が感光体ドラム２３Ｙの表面で集光するので、感光体ドラム２３Ｙに形成される静電潜像の画質を向上させることができる。
【０１１６】
なお、第１光源基板２０１の形成面の角度が調整されてもよい。第１光源基板２０１は、光源グループ２１１，２１２，２１３を含む。光源グループ２１１は、副走査方向において最も下流に配置され、光源グループ２１３は、副走査方向において最も上流に配置される。このため、光源グループ２１１に属する複数の光源２００のうち任意の１つと、その光源２００が属する第１レンズグループ２４１Ａに対応する光学素子２４５との間の第１距離を、光源グループ２１３に属する複数の光源２００のうち任意の１つと、その光源２００が属する第１レンズグループ２４１Ａに対応する光学素子２４５との間の第２距離より長くするようにすればよい。
【０１１７】
図１４は、変形例における複数の光源の位置と感光体ドラムへの照射位置との関係を模式的に示す第２の図である。ここでは、感光体ドラム２３Ｙに光が照射される位置が副走査方向で同じ位置となるように複数の光源２００を発光さる発光タイミングを調整した場合における理想的な照射位置を示している。第１光源基板２０１、第２光源基板２０２および第３光源基板２０３それぞれにおいて示される数字は、複数の光源２００の位置とその光源に付された番号を示す。感光体ドラム２３Ｙにおいて示される数字は、照射位置と、その照射位置に対応する光源２００に付された番号を示す。
【０１１８】
感光体ドラム２３Ｙは、露光装置２１Ｙに対して副走査方向に相対して所定の速度で移動する。このため、変形例におけるＣＰＵ１１１は、複数の光源２００の発光タイミングを、光源グループごとにずらすように、露光装置２１Ｙを制御する。これにより、照射位置２１１Ａ，２１２Ａ，２１３Ａ，２２１Ａ，２２２Ａ，２２３Ａ，２３１Ａ，２３２Ａ，２３３Ａを副走査方向で揃えることができる。
【０１１９】
第３光源基板２０３において、第１列の光源グループ２３３に属する第１番、第４番および第７番の番号が付された３つの光源２００と、第２列の光源グループ２３２に属する第２番、第５番および第８番の番号が付された３つの光源２００と、第３列の光源グループ２３１に属する第３番、第６番および第９番の番号が付された３つの光源２００と、が第３レンズグループ２４３Ａに属する。変形例におけるＣＰＵ１１１は、第１列の光源グループ２３３に属する複数の光源２００を同時に発光させ、所定時間経過後に、第２列の光源グループ２３２に属する複数の光源２００を同時に発光させ、さらに所定時間経過後に、第３列の光源グループ２３１に属する複数の光源２００を発光させる。これにより、変形例におけるＣＰＵ１１１は、感光体ドラム２３Ｙに第１番〜第９番の光源２００にそれぞれ対応する感光体ドラム２３Ｙにおける照射位置２３１Ａ，２３２Ａ，２３３Ａを副走査方向で揃えることができる。
【０１２０】
第２光源基板２０２において、第４列の光源グループ２２３に属する第１０番、第１３番および第１６番の番号が付された３つの光源２００と、第５列の光源グループ２２２に属する第１１番、第１４番および第１７番の番号が付された３つの光源２００と、第６列の光源グループ２２１に属する第１２番、第１５番および第１８番の番号が付された３つの光源２００と、が第２レンズグループ２４２Ａに属する。変形例におけるＣＰＵ１１１は、第４列の光源グループ２２３に属する複数の光源２００を同時に発光させ、所定時間経過後に、第５列の光源グループ２２２に属する複数の光源２００を同時に発光させ、さらに所定時間経過後に、第６列の光源グループ２２３に属する複数の光源２００を発光させる。これにより、変形例におけるＣＰＵ１１１は、感光体ドラム２３Ｙに第１０番〜第１８番の光源２００に対応する感光体ドラム２３Ｙにおける照射位置２２１Ａ，２２２Ａ，２２３Ａが副走査方向で揃えることができる。
【０１２１】
第１光源基板２０１において、第７列の光源グループ２１３に属する第１９番、第２２番および第２５番の番号が付された３つの光源２００と、第８列の光源グループ２１２に属する第２０番、第２３番および第２６番の番号が付された３つの光源２００と、第９列の光源グループ２１１に属する第２１番、第２４番および第２７番の番号が付された３つの光源２００と、が第１レンズグループ２４１Ａに属する。ＣＰＵ１１１は、第７列の光源グループ２２１に属する複数の光源２００を同時に発光させ、所定時間経過後に、第８列の光源グループ２２２に属する複数の光源２００を同時に発光させ、さらに所定時間経過後に、第９列の光源グループ２２１に属する複数の光源２００を発光させる。これにより、ＣＰＵ１１１は、感光体ドラム２３Ｙに第１９番〜第２７番の光源２００に対応する感光体ドラム２３Ｙにおける照射位置２１１Ａ，２１２Ａ，２１３Ａを副走査方向で揃えることができる。
【０１２２】
変形例における露光装置２１Ｙは、光源グループ２２１に属する複数の光源２００のうち任意の１つと、その光源２００が属する第２レンズグループ２４２Ａに対応する光学素子２４５との間の第１距離が、光源グループ２２３に属する複数の光源２００のうち任意の１つと、その光源２００が属する第２レンズグループ２４２Ａに対応する光学素子２４５との間の第２距離より長くなるように、第２光源基板２０２が配置される。また、光源グループ２３１に属する複数の光源２００のうち任意の１つと、その光源２００が属する第３レンズグループ２４３Ａに対応する光学素子２４５との間の第１距離が、光源グループ２３３に属する複数の光源２００のうち任意の１つと、その光源２００が属する第３レンズグループ２４３Ａに対応する光学素子２４５との間の第２距離より長くなるように、第３光源基板２０３が配置される。このため、第１光源基板２０１、第２光源基板２０２および第３光源基板２０３の重なり方向の高さを、短くすることができる。したがって、露光装置２１Ｙの高さを短くすることができる。
【０１２３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１２４】
＜付記＞
（１）  １以上の前記サブ基板と前記放熱部材とは、直接または熱伝導部材を介して接触する位置に配置され、
前記基準基板と前記放熱部材とは、接触しない位置に配置される、請求項７に記載の露光装置。
（２）前記基準基板と前記放熱部材との間に配置される断熱部材を、さらに備えた（１）に記載の露光装置。
（３）前記保持手段は、熱伝導率が所定の値以上である、請求項８に記載の露光装置。
【符号の説明】
【０１２５】
１００  ＭＦＰ、２０Ｙ，２０Ｍ，２０Ｃ，２０Ｋ  画像形成ユニット、２１Ｙ，２１Ｍ，２１Ｃ，２１Ｋ  露光装置、２２Ｙ、２２Ｍ，２２Ｃ，２２Ｋ  帯電チャージャ、２３Ｙ，２３Ｍ，２３Ｃ，２３Ｋ  感光体ドラム、２４Ｙ，２４Ｍ，２４Ｃ，２４Ｋ  現像器、２５Ｙ、２５Ｍ，２５，Ｃ，２５Ｋ  転写チャージャ、２６  転写ローラー、３０  中間転写ベルト、３２  定着ローラー対、４１Ｙ，４１Ｍ，４１Ｃ，４１Ｋ  トナーボトル、１１０  メイン回路、１１１  ＣＰＵ、２００  光源、２０１  第１光源基板、２０２  第２光源基板、２０３  第３光源基板、２１１，２１２，２１３，２２１，２２２，２２３，２３１，２３２，２３３  光源グループ、２１１Ａ，２１２Ａ，２１３Ａ，２２１Ａ，２２２Ａ，２２３Ａ，２３１Ａ，２３２Ａ，２３３Ａ  照射位置、２４０，２４０Ａ  マイクロレンズアレイ、２４５  光学素子、２５１  発光領域、２５３  回路領域、２６１  第１放熱部材、２６３  第２放熱部材、２６５  中間部材、２８１  第１位置決部材、２８１Ａ  第１調整ピン、２８２  第２位置決部材、２８２Ａ  第２調整ピン、２８２Ｂ  第３調整ピン、２８３  第３位置決部材、２８３Ａ  第４調整ピン、２９１  筐体、２９１Ａ  保持板、２９１Ｂ  開口。
【図１】
2020069660.tif 000003
【図２】
2020069660.tif 000004
【図３】
2020069660.tif 000005
【図４】
2020069660.tif 000006
【図５】
2020069660.tif 000007
【図６】
2020069660.tif 000008
【図７】
2020069660.tif 000009
【図８】
2020069660.tif 000010
【図９】
2020069660.tif 000011
【図１０】
2020069660.tif 000012
【図１１】
2020069660.tif 000013
【図１２】
2020069660.tif 000014
【図１３】
2020069660.tif 000015
【図１４】
2020069660.tif 000016